(57)【要約】【課題】  作業者が取付部位の一方の側から取付作業を行うことにより、タグを商品に取付けれるようにする。【解決手段】  タグ５をアワビに取付ける場合に、タグ取付具１を用いて、ワッシャ３を吸水孔１６に挿入させると共に基台部材２を吸水孔１６の外側で殻１５に係止させ、締め付けピン４を引上げてワッシャ３を変形させて吸水孔１６の内周部分で殻１５に係止させ、タグ取付具１を殻１５に取付ける。作業者は、殻１５の外側から取付作業を行い、タグ取付具１を殻１５に取付けることにより、アワビの身に損傷を与えることなく、タグ５をアワビに取付けることができる。【選択図】  図１
2005156622.tif 000002
【特許請求の範囲】
【請求項１】
データを記録可能であると共に当該記録されているデータが電磁的または光学的に読取られるように構成されたタグを、少なくとも１つの孔が本体に形成されている商品に取付ける方法であって、
タグを取付可能にまたはタグと一体に構成されると共に第１の係止部材と第２の係止部材と変形部材とを備えたタグ取付具を用いて、前記第２の係止部材と前記変形部材とを孔に挿入させると共に前記第１の係止部材を孔の外側で本体に係止させ、前記変形部材を変形させて前記第２の係止部材を孔の内周部分付近で本体に係止させ、前記タグ取付具を本体に取付けることを特徴とするタグ取付方法。
【請求項２】
請求項１に記載したタグ取付方法において、
変形操作部材を備えたタグ取付具を用いて、前記変形操作部材を移動させて前記変形部材を変形させることを特徴とするタグ取付方法。
【請求項３】
請求項２に記載したタグ取付方法において、
前記変形操作部材の一方向への移動を許可すると共に他方向への移動を禁止する戻り止め機構を備えたタグ取付具を用いて、前記変形操作部材を移動後の位置に前記戻り止め機構により保持させ、前記変形部材を変形後の形状に保持させて前記第１の係止部材と前記第２の係止部材とを係止状態に固定させることを特徴とするタグ取付方法。
【請求項４】
請求項１ないし３のいずれかに記載したタグ取付方法において、
嵌合部を備えたタグ取付具を用いて、前記タグ取付具を本体に取付けた後に、タグの突起部を前記嵌合部に嵌合させてタグを前記タグ取付具に取付けることを特徴とするタグ取付方法。
【請求項５】
請求項１ないし４のいずれかに記載したタグ取付方法において、
前記タグ取付具を本体に取付けた後に、タグの平面部を商品の面に沿うようにしてタグを前記タグ取付具に取付けることを特徴とするタグ取付方法。
【請求項６】
データを記録可能であると共に当該記録されているデータが電磁的または光学的に読取られるように構成されたタグを取付可能なタグ取付部材と、
第１の係止部材と
第２の係止部材と、
商品の本体に形成されている孔に変形前の形状で挿通可能であると共に変形後の形状で挿通不可能な変形部材とを備え、
前記第１の係止部材が孔の外側で本体に係止されると共に前記変形部材が変形された状態で前記第２の係止部材が孔の内周部分付近で本体に係止されることを特徴とするタグ取付具。
【発明の詳細な説明】
【技術分野】
【０００１】
本発明は、データを記録可能であると共に当該記録されているデータが電磁的または光学的に読取られるように構成されたタグを商品に取付ける方法および当該タグを商品に取付ける場合に用いられるタグ取付具に関する。
【背景技術】
【０００２】
ＲＦＩＤタグや二次元コードタグの利用形態の一つとして、タグを例えば肉牛などの家畜に取付けることにより、家畜の生産地や生産者などを管理するものがある。この場合、タグを家畜に取付ける方法として、タグが内蔵されたプレートを例えば耳の表側に配置し、ピンを耳の裏側から耳介を貫通するようにして差込み、ピンの先端部をプレートの通孔に装着することにより、タグを家畜に取付ける方法がある（特許文献１参照）。
【特許文献１】特開２００３−７０３７２号公報
【発明の開示】
【発明が解決しようとする課題】
【０００３】
しかしながら、タグを取付ける商品（タグ取付対象物）が例えば海産物の一つであるアワビである場合を想定すると、アワビの構造上、殻に吸水孔が形成されているものの、殻の内側に付着している身を損傷させないようにするために、作業者は、殻の外側からしか取付作業を行うことができない。つまり、タグをアワビに取付ける場合には、作業者は、取付部位である吸水孔の外側からしか取付作業を行うことができず、上記した特許文献１に記載されている方法を適用することができない。
【０００４】
本発明は、上記した事情に鑑みてなされたものであり、その目的は、作業者が取付部位の一方の側から取付作業を行うことにより、タグを商品に取付けることができるタグ取付方法およびタグ取付具を提供することにある。
【課題を解決するための手段】
【０００５】
請求項１に記載した取付方法によれば、データを記録可能であると共に当該記録されているデータが電磁的または光学的に読取られるように構成されたタグを商品に取付ける場合に、タグを取付可能にまたはタグと一体に構成されると共に第１の係止部材と第２の係止部材と変形部材とを備えたタグ取付具を用いて、第２の係止部材と変形部材とを孔に挿入させると共に第１の係止部材を孔の外側で本体に係止させ、変形部材を変形させて第２の係止部材を孔の内周部分付近で本体に係止させ、タグ取付具を本体に取付ける手順を行う。
【０００６】
これにより、作業者は、取付部位の一方の側から取付作業を行い、例えば最初にタグ取付具を商品の本体に取付け、続いてタグをタグ取付具に取付けることにより、タグを商品に取付けることができる。つまり、商品がアワビである場合には、作業者は、殻の外側から取付作業を行うことにより、アワビの殻の内側に付着している身に損傷を与えることなく、タグをアワビに取付けることができる。
【０００７】
尚、ここでは、最初にタグ取付具を商品の本体に取付け、続いてタグをタグ取付具に取付けることに限らず、最初にタグをタグ取付具に取付け、続いてタグが取付けられたタグ取付具を商品の本体に取付けることにより、タグを商品に取付けても良い。さらに、タグがタグ取付具と一体に形成されているものであっても良い。また、ここでいう電磁的に読取られるとは、タグがＲＦＩＤタグである場合にＲＦＩＤタグからデータが電磁界または電磁波を用いて非接触通信で読取られて復調されることをいうものであり、また、光学的に読取られるとは、タグが例えば１次元コードタグまたは２次元コードタグである場合に１次元コードタグまたは２次元コードタグからコード情報が光学的画像としてコードリーダにより読取られてデコード化されることをいうものである。
【０００８】
請求項２に記載したタグ取付方法によれば、変形操作部材を備えた取付具を用いて、変形操作部材を移動させて変形部材を変形させる手順を行うので、作業者は、変形操作部材を移動させることにより、変形部材を容易に変形させてタグ取付具を商品に取付けることができる。
【０００９】
請求項３に記載したタグ取付方法によれば、変形操作部材の一方向への移動を許可すると共に他方向への移動を禁止する戻り止め機構を備えたタグ取付具を用いて、変形操作部材を移動後の位置に戻り止め機構により保持させ、変形部材を変形後の形状に保持させて第１の係止部材と第２の係止部材とを係止状態に固定させる手順を行う。これにより、作業者は、タグ取付具を商品に確実に取付けることができ、タグ取付具が商品から外れてしまうことを回避することができる。
【００１０】
請求項４に記載したタグ取付方法によれば、嵌合部を備えたタグ取付具を用いて、タグ取付具を本体に取付けた後に、タグの突起部を嵌合部に嵌合させてタグをタグ取付具に取付ける手順を行うので、作業者は、タグの突起部を嵌合部に嵌合することにより、タグをタグ取付具に容易に取付けることができる。
【００１１】
請求項５に記載したタグ取付方法によれば、タグ取付具を本体に取付けた後に、タグの平面部を商品の面に沿うようにしてタグをタグ取付具に取付ける手順を行うので、作業者は、タグを安定させた状態で商品に取付けることができると共に、タグが取付けられた後の商品の全体のサイズが大型化してしまうことを回避することができる。
【発明を実施するための最良の形態】
【００１２】
（第１の実施形態）
以下、本発明の第１の実施形態として、タグを取付ける商品としてアワビを適用し、タグをアワビに取付ける方法について、図１ないし図３を参照して説明する。
まず、図２は、タグ取付具の平面図、正面図および側面図を示している。タグ取付具１は、基台部材２（本発明でいう第１の係止部材、タグ取付部材）と、ワッシャ３（本発明でいう第２の係止部材、変形部材）と、締め付けピン４（本発明でいう変形操作部材）とが組合されて構成されている。
【００１３】
基台部材２は、例えば樹脂を材料として平板状に構成され、その所定部位にタグ５が内蔵されていると共に、貫通穴６が形成されて構成されている。尚、本実施形態では、タグ５が基台部材２に内蔵されている場合を説明するが、タグが基台部材とは別体に設けられて基台部材２に対して着脱可能な構成であっても良い。また、ここでいうタグは、本実施形態のように基台部材２に埋設されたＩＣチップやアンテナコイルからなるＲＦＩＤタグであっても良く、また、表面部が露出されて基台部材２に設けられた２次元コードが印刷または添付されている２次元コードタグであっても良い。
【００１４】
ワッシャ３は、弾性を有する樹脂を材料として矩形枠状に構成され、その上側に貫通穴７が形成されていると共に、その下側に貫通穴８が形成されて構成されている。尚、このワッシャ３は、押し潰される方向の外力が与えられると、扁平形状に変形されるようになっている。締め付けピン４は、円盤状の頭部９と棒状の軸部１０とから構成され、頭部９が下側に位置する格好で軸部１０がワッシャ３の貫通穴８，７を貫通すると共に基台部材２の貫通穴６を貫通して設けられている。
【００１５】
この場合、図３に示すように、締め付けピン４にあって軸部１０には、鋸歯凹凸状の係合段部１１が形成されていると共に、基台部材２にあって貫通穴６には、撓動可能な撓動部１２と、締め付けピン４の係合段部１１と係合する係合爪部１３とが形成されており、これら係合段部１１と係合爪部１３とによりラチェット機構１４（本発明でいう戻り止め機構）が形成されている。
【００１６】
上記した構成では、締め付けピン４を上方に引上げる方向の外力が与えられると（図２および図３中矢印「Ａ１」参照）、撓動部１２が撓んで係合爪部１３の左右方向への往復移動が許可されることにより（図３中矢印「Ｂ１，Ｂ２」参照）、締め付けピン４の上方への移動が許可され、これに対して、締め付けピン４を下方に引下げる方向の外力が与えられたとしても（図２および図３中矢印「Ａ２」参照）、係合爪部１３の左右方向への往復移動が禁止されることにより、締め付けピン４の下方への移動が禁止される。
【００１７】
次に、上記した構成の作用として、上記したタグ取付具１を用いてタグをアワビに取付ける手順について、図１を参照して説明する。この場合、アワビの殻１５（本発明でいう本体）には、自然的に少なくとも１つの吸水孔１６（本発明でいう孔）が形成されていることを前提として説明する。尚、図１では、図３で説明したラチェット機構１４を省略して示している。
【００１８】
最初に、作業者は、タグ取付具１を締め付けピン４の頭部９およびワッシャ３が吸水孔１６に挿入可能になる位置に殻１５に対して位置決めする（図１（ａ）参照）。次いで、作業者は、タグ取付具１の締め付けピン４の頭部９およびワッシャ９を吸水孔１６に挿入させると共に基台部材２の下面部２ａを吸水孔１６の開口端部１６ａ，１６ｂに当接させて係止させる（図１（ｂ）参照）。
【００１９】
そして、作業者は、基台部材２を吸水孔１６の開口端部１６ａ，１６ｂに押し当てながら締め付けピン４を上方に引上げる（図１中矢印「Ａ１」参照）。このとき、ワッシャ３に締め付けピン４の頭部９と基台部材２とで挟まれる外力（押し潰される外力）が作用することにより、ワッシャ３が扁平形状に変形されて吸水孔１６の内周部分に当接されて係止される。また、これと同時に、ラチェット機構１４が作用することにより、基台部材２と変形後のワッシャ３とが係止状態に固定される。
【００２０】
これにより、作業者は、以上に説明した一連の手順を行うことにより、殻１５の外側から取付作業を行うことにより、タグ取付具１をアワビに取付けることができ、タグ５をアワビに取付けることができる。
【００２１】
ところで、以上は、タグ５がタグ取付具１に内蔵されているために、タグ取付具１を殻１５に取付けると同時に、タグ５をアワビに取付けることができるものであるが、タグが内蔵されていないタグ取付具を用いる場合には、最初にタグ取付具を殻１５に取付け、続いてタグをタグ取付具に取付けることにより、タグをアワビに取付けることができる。また、タグがタグ取付具に取付けられている状態での作業性に不具合がなければ（例えば作業者にとって死角が発生しないなど）、最初にタグをタグ取付具に取付け、続いてタグが取付けられたタグ取付具を殻１５に取付けることにより、タグをタグ取付具を介してアワビに取付けることもできる。
【００２２】
また、以上は、ワッシャ３が変形されて吸水孔１６の内周部分に当接されて係止され、つまり、変形される部材と吸水孔１６の内周部分に当接されて係止される部材とが同一部材で構成されている場合を説明したが、変形される部材と吸水孔１６の内周部分に当接されて係止される部材とが別々の部材で構成されていても良い。
【００２３】
以上に説明したように第１の実施形態によれば、タグ取付具１を用いて、ワッシャ３を吸水孔１６に挿入させると共に基台部材２を吸水孔１６の外側で殻１５に係止させ、締め付けピン４を引上げてワッシャ３を変形させて吸水孔１６の内周部分で殻１５に係止させ、タグ取付具１を殻１５に取付けるようにしたので、作業者は、殻１５の外側から取付作業を行い、タグ取付具１を殻１５に取付けることにより、アワビの身に損傷を与えることなく、タグ５をアワビに取付けることができる。
【００２４】
また、締め付けピン４が引上げ後の位置にラチェット機構１４により保持され、ワッシャ３が変形後の形状に保持されると共に基台部材２とワッシャ３とが係止状態に固定されるようにしたので、作業者は、タグ取付具１をアワビに確実に取付けることができ、タグ取付具１がアワビから外れてしまうことを回避することができる。
【００２５】
（第２の実施形態）
次に、本発明の第２の実施形態について、図４ないし図７を参照して説明する。
まず、図５は、タグ取付具の平面図および正面図を示している。タグ取付具２１は、塑性変形（変形後の形状を保持する）の特性を有する例えばアルミなどの金属板を材料とする基台部材２２（本発明でいうタグ取付部材、第１の係止部材、第２の係止部材、変形部材）に、舌片部２３，２４、折曲部２５，２６および嵌合部２７，２８が形成されて構成されている。この場合、基台部材２２の下面部２２ａが本発明でいう第１の係止部材として作用し、舌片部２３，２４と折曲部２５，２６との全体が本発明でいう変形部材として作用し、舌片部２３，２４の先端部２３ａ，２４ａが本発明でいう第２の係止部材として作用する。また、これら舌片部２３，２４、折曲部２５，２６および嵌合部２７，２８は、アルミなどの金属板が打ち抜き加工された後に曲げ加工されることにより得られる。
【００２６】
タグ２９は、図６にも示すように、平板状のタグ本体部３０と、タグ本体部３０の裏面部３０ａに設けられたスリ割り付き突起部３１，３２（本発明でいう突起部）とから構成されており、そのスリ割り付き突起部３１，３２がタグ取付部材２１の嵌合部２７，２８に嵌合されることにより、タグ２９がタグ取付具２１に取付けられるように構成されている。
【００２７】
この場合、タグ２９は、図７（ａ）に示すように、タグ本体部３０にＩＣチップ３３やアンテナコイル３４が内蔵されているＲＦＩＤタグから構成されるものであっても良いし、図７（ｂ）に示すように、タグ本体部３０の表面部３０ｂに２次元コード３５が印刷または添付されている２次元コードタグから構成されるものであっても良い。また、アワビの生産地や生産者や水揚日などを示す情報が文字や数字などにより記載、印刷または添付されていても良い。
【００２８】
次に、上記した構成の作用として、上記したタグ取付具２１を用いてタグをアワビに取付ける手順について、図４を参照して説明する。
この場合は、最初に、作業者は、タグ取付具２１を舌片部２３，２４が吸水孔１６に挿入可能になる位置に殻１５に対して位置決めする（図４（ａ）参照）。次いで、作業者は、タグ取付具２１の舌片部２３，２４を吸水孔１６に挿入させると共に基台部材２２の下面部２２ａを吸水孔１６の開口端部１６ａ，１６ｂに当接させて係止させる（図４（ｂ）参照）。
【００２９】
次いで、作業者は、専用の押圧治具４１を用いて、タグ取付具２１の折曲部２５，２６に上方から押圧力を作用させ（図４中矢印「Ｃ１」参照）、折曲部２５，２６を折曲げる（図４（ｃ），（ｄ）参照）。このとき、舌片部２３，２４は、折曲部２５，２６が折曲げられることに伴って、それらの先端部２３ａ，２４ａが広がるように全体としての形状が変形されることになり（相対的な位置関係が変化されることになり）、それらの先端部２３ａ，２４ａは、吸水孔１６の内周部分で殻１５に当接されて係止される。
【００３０】
そして、作業者は、専用の押圧治具４１を外し、タグ２９のスリ割り付き突起部３１，３２をタグ取付部材２１の嵌合部２７，２８に対して位置決めし（図４（ｅ）参照）、スリ割り付き突起部３１，３２を嵌合部２７，２８に嵌合し、タグ２９をタグ取付具２１に取付ける（図４（ｆ）参照）。
【００３１】
これにより、作業者は、以上に説明した一連の手順を行うことにより、殻１５の外側から取付作業を行い、最初にタグ取付具２１を殻１５に取付け、続いてタグ２９をタグ取付具２１に取付けることにより、タグ２９をタグ取付具２１を介してアワビに取付けることができる。
【００３２】
尚、この場合も、タグ２９がタグ取付具２１に取付けられている状態での作業性に不具合がなければ、最初にタグ２９をタグ取付具２１に取付け、続いてタグ２９が取付けられたタグ取付具２１を殻１５に取付けることにより、タグ２９をタグ取付具２１を介してアワビに取付ける手順を行っても良い。
【００３３】
以上に説明したように第２の実施形態によれば、タグ取付具２１を用いて、舌片部２３，２４を吸水孔１６に挿入させると共に基台部材２２の下面部２２ａを吸水孔１６の外側で殻１５に係止させ、専用の押圧治具４１を用いて舌片部２３，２４の全体としての形状を変形させて舌片部２３，２４の先端部２３ａ，２４ａを吸水孔１６の内周部分で殻１５に係止させ、タグ取付具２１を殻１５に取付けるようにしたので、作業者は、上記した第１の実施形態に記載したものと同様にして、殻１５の外側から取付作業を行い、タグ取付具２１を殻１５に取付けることにより、アワビの身に損傷を与えることなく、タグ２９をアワビに取付けることができる。
【００３４】
（その他の実施形態）
本発明は、上記した実施形態にのみ限定されるものではなく、以下のように変形または拡張することができる。
タグが取付けられる商品（タグ取付対象物）は、アワビに限らず、他のものであっても良い。また、自然的に形成された孔を利用してタグを取付けることに限らず、人為的に孔を形成し、その人為的に形成された孔を利用してタグを取付ける方法に適用しても良い。
第２の実施形態において、タグがタグ取付具に取付けられる位置は、タグがタグ取付具に取付けられた状態でバランスを失わない程度の位置であれば良い。また、舌片部の数は、２つ以上であっても良い。さらに、タグ取付具に突起部が形成されていると共に、タグに嵌合部が形成されている構成であっても良い。
【図面の簡単な説明】
【００３５】
【図１】本発明の第１の実施形態の手順を概略的に示す図
【図２】タグ取付具の平面図、正面図および側面図
【図３】ラチェット機構を示す断面図
【図４】本発明の第２の実施形態の手順を概略的に示す図
【図５】タグ取付具の平面図および正面図
【図６】タグ取付具およびタグの外観斜視図
【図７】タグの外観斜視図
【符号の説明】
【００３６】
図面中、１はタグ取付具、２は基台部材（タグ取付部材、第１の係止部材）、３はワッシャ（第２の係止部材、変形部材）、４は締め付けピン（変形操作部材）、１４はラチェット機構（戻り止め機構）、１５は殻（本体）、１６は吸水孔（孔）、２１はタグ取付具、２２は基台部材（タグ取付部材、第１の係止部材、第２の係止部材、変形部材）、
２７，２８は嵌合部、３１，３２はスリ割り付き突起部（突起部）である。
【図１】
2005156622.tif 000003
【図２】
2005156622.tif 000004
【図３】
2005156622.tif 000005
【図４】
2005156622.tif 000006
【図５】
2005156622.tif 000007
【図６】
2005156622.tif 000008
【図７】
2005156622.tif 000009